【手続補正書】
【提出日】平成23年10月6日(2011.10.6)
【手続補正１】
【補正対象書類名】特許請求の範囲
【補正対象項目名】全文
【補正方法】変更
【補正の内容】
【特許請求の範囲】
【請求項１】
原稿台と、
前記原稿台を覆う閉姿勢と、前記原稿台を開放する開姿勢と、の間で姿勢変化可能に設けられる原稿カバーと、を備え、
前記原稿カバーが、表面に樹脂成形によって形成されたパターンを有しており、
当該パターンが、光沢面と、当該光沢面より突出し、当該光沢面に単位面積あたり所定の割合で均等に点在する非光沢面と、により形成されている、
ことを特徴とするスキャナ装置。
【請求項２】
原稿台と、
前記原稿台を覆う閉姿勢と、前記原稿台を開放する開姿勢と、の間で姿勢変化可能に設けられる原稿カバーと、を備え、
前記原稿カバーが、表面に樹脂成形によって形成されたパターンを有しており、
当該パターンが、非光沢面と、当該非光沢面より凹んで位置し、当該非光沢面に単位面積あたり所定の割合で均等に点在する光沢面と、により形成されていることを特徴とするスキャナ装置。
【請求項３】
請求項１または２に記載のスキャナ装置において、前記非光沢面が、シボ面であることを特徴とするスキャナ装置。
【請求項４】
請求項１から３のいずれか１項に記載のスキャナ装置において、単位面積あたりの前記非光沢面の割合が、２０％以上８０％以下であることを特徴とするスキャナ装置。
【請求項５】
請求項１から４のいずれか１項に記載のスキャナ装置において、前記非光沢面の前記光沢面からの突出高さが５μｍ以上４０μｍ以下であることを特徴とするスキャナ装置。
【請求項６】
被記録材に記録を行う記録部とスキャニング機能を有するスキャナ装置とを一体的に備えた記録装置であって、
前記スキャナ装置が、原稿台と、
前記原稿台を覆う閉姿勢と、前記原稿台を開放する開姿勢と、の間で姿勢変化可能に設けられる原稿カバーと、を備え、
前記原稿カバーが、表面に樹脂成形によって形成されたパターンを有しており、
当該パターンが、光沢面と、当該光沢面より突出し、当該光沢面に単位面積あたり所定の割合で均等に点在する非光沢面と、により形成されている、
ことを特徴とする記録装置。
【請求項７】
被記録材に記録を行う記録部とスキャニング機能を有するスキャナ装置とを一体的に備えた記録装置であって、
前記スキャナ装置が、原稿台と、
前記原稿台を覆う閉姿勢と、前記原稿台を開放する開姿勢と、の間で姿勢変化可能に設けられる原稿カバーと、を備え、
前記原稿カバーが、表面に樹脂成形によって形成されたパターンを有しており、
当該パターンが、非光沢面と、当該非光沢面より凹んで位置し、当該非光沢面に単位面積あたり所定の割合で均等に点在する光沢面と、により形成されていることを特徴とする記録装置。
【請求項８】
請求項６または７に記載の記録装置において、前記非光沢面が、シボ面であることを特徴とする記録装置。
【請求項９】
請求項６から８のいずれか１項に記載の記録装置において、単位面積あたりの前記非光沢面の割合が、２０％以上８０％以下であることを特徴とする記録装置。
【請求項１０】
請求項６から９のいずれか１項に記載の記録装置において、前記非光沢面の前記光沢面からの突出高さが５μｍ以上４０μｍ以下であることを特徴とする記録装置。
【手続補正２】
【補正対象書類名】明細書
【補正対象項目名】発明の名称
【補正方法】変更
【補正の内容】
【発明の名称】スキャナ装置、記録装置
【手続補正３】
【補正対象書類名】明細書
【補正対象項目名】０００１
【補正方法】変更
【補正の内容】
【０００１】
本発明は、スキャニング機能を有するスキャナ装置、及び被記録材に記録を行う記録装置に関する。
【手続補正４】
【補正対象書類名】明細書
【補正対象項目名】０００８
【補正方法】変更
【補正の内容】
【０００８】
上記課題を解決するために、本発明の第１の態様に係る樹脂成形品である原稿カバーは、表面に樹脂成形によって形成された凹凸パターンを有しており、当該凹凸パターンが、光沢面と、当該光沢面より突出し、当該光沢面に単位面積あたり所定の割合で均等に点在する非光沢面と、により形成されていることを特徴とする。
【手続補正５】
【補正対象書類名】明細書
【補正対象項目名】０００９
【補正方法】変更
【補正の内容】
【０００９】
本態様によれば、原稿カバーの表面には凹凸パターンが形成されており、この凹凸パターンは、光沢面と、当該光沢面より突出し、当該光沢面に単位面積あたり所定の割合で均等に点在する非光沢面と、により形成されているので、前記光沢面により表面の光沢感を得ながらも、点在する前記非光沢面により指紋等の汚れを効果的に目立ち難くすることができる。即ち、前記非光沢面は、前記光沢面によって得られる光沢感を極力損なうことが無いように、前記光沢面に単位面積あたり所定の割合で均等に点在するように配置されている。尚、「均等に」とは、単位面積の中で前記非光沢面が或る場所に固まって存在するのではなく、面積全体に渡って偏りなく配置されることを意味する。
【手続補正６】
【補正対象書類名】明細書
【補正対象項目名】００１０
【補正方法】変更
【補正の内容】
【００１０】
そして、前記非光沢面は前記光沢面よりも突出しているので、前記光沢面には指紋等の汚れが付着し難い。そしてこの様な凹凸パターンは、樹脂成形により形成されるので、成形後の追加工程を経ることなく、成形品表面に光沢感を得ながらも指紋などの汚れが目立ちにくい樹脂成形品を、低コストに得ることができる。  
本発明の第２の態様に係る樹脂成形品である原稿カバーは、表面に樹脂成形によって形成された凹凸パターンを有しており、当該凹凸パターンが、非光沢面と、当該非光沢面より凹んで位置し、当該非光沢面に単位面積あたり所定の割合で均等に点在する光沢面と、により形成されていることを特徴とする。本態様によれば、上記第１の態様と同様に、光沢面によって表面の光沢感を得ながらも、当該光沢面よりも突出する非光沢面によって指紋等の汚れを効果的に目立ち難くすることができる。
【手続補正７】
【補正対象書類名】明細書
【補正対象項目名】００１１
【補正方法】変更
【補正の内容】
【００１１】
本発明の第３の態様に係る原稿カバーは、第１のまたは第２の態様に係る原稿カバーにおいて、前記非光沢面が、シボ面であることを特徴とする。本態様によれば、前記非光沢面がシボ面であるので、前記非光沢面に付着した指紋等をより一層目立ち難くさせることができる。
【手続補正８】
【補正対象書類名】明細書
【補正対象項目名】００１２
【補正方法】変更
【補正の内容】
【００１２】
本発明の第４の態様に係る原稿カバーは、第１から第３の態様のいずれかに係る原稿カバーにおいて、単位面積あたりの前記非光沢面の割合が、２０％以上８０％以下であることを特徴とする。
【手続補正９】
【補正対象書類名】明細書
【補正対象項目名】００１４
【補正方法】変更
【補正の内容】
【００１４】
本発明の第５の態様に係る原稿カバーは、第１から第４の態様のいずれかに係る原稿カバーにおいて、前記非光沢面の前記光沢面からの突出高さが５μｍ以上４０μｍ以下であることを特徴とする。
【手続補正１０】
【補正対象書類名】明細書
【補正対象項目名】００１６
【補正方法】変更
【補正の内容】
【００１６】
本発明の第６の態様に係る原稿カバーは、第１から第５の態様のいずれかにおいて、前記原稿カバーが、スキャナ装置の原稿台を覆う閉姿勢と、前記原稿台を開放する開姿勢と、の間で姿勢変化可能に前記スキャナ装置の本体に設けられる原稿カバーであることを特徴とする。本態様によれば、スキャナ装置において、上記第１から第５の態様のいずれかと同様な作用効果が得られる。